(57)【特許請求の範囲】
【請求項１】
鍵穴に挿入された接触式の電子キーのＩＤデータを読み取るデータ読み取り手段と、前記データ読み取り手段に接続し、前記データ読み取り手段が読み取った前記ＩＤデータに基づいて認証を行い、認証が成功した場合に、解錠許可手段に解錠動作を許可させる制御手段と、を備えるシリンダー錠において、
前記データ読み取り手段が、前記鍵穴の外部に配置されていること、
前記鍵穴に前記電子キーが挿入されない場合に、前記電子キーと前記データ読み取り手段との接続を遮断する一方、前記鍵穴に前記電子キーが挿入される場合に、前記電子キーと前記データ読み取り手段を接続する接続制御手段を有すること、
前記接続制御手段は、前記鍵穴に前記電子キーが挿入されていない場合に、前記鍵穴に高電圧が印可されたときに、前記データ読み取り手段に前記高電圧を作用させないこと、
を特徴とするシリンダー錠。
【請求項２】
鍵穴に挿入された接触式の電子キーのＩＤデータを読み取るデータ読み取り手段と、前記データ読み取り手段に接続し、前記データ読み取り手段が読み取った前記ＩＤデータに基づいて認証を行い、認証が成功した場合に、解錠許可手段に解錠動作を許可させる制御手段と、を備えるシリンダー錠において、
前記データ読み取り手段が、前記鍵穴の外部に配置されていること、
前記鍵穴に前記電子キーが挿入されない場合に、前記電子キーと前記データ読み取り手段との接続を遮断する一方、前記鍵穴に前記電子キーが挿入される場合に、前記電子キーと前記データ読み取り手段を接続する接続制御手段を有すること、
外筒と、
前記鍵穴を備え、前記外筒にスライド可能に保持される内筒と、を有すること、
前記接続制御手段は、
前記内筒に対して一体的に連結されるシャフトと、
前記シャフトに保持され、前記鍵穴に挿入された前記電子キーに接触する接触手段と、
前記鍵穴が開口する端面側に向かって前記内筒を付勢する付勢手段と、を有すること、
前記データ読み取り手段が、前記付勢手段に抗して前記内筒をスライドさせた場合に限り、前記接触手段に通信可能に接触するように、前記シャフトのスライド経路上に配置されていること、
を特徴とするシリンダー錠。
【請求項３】
請求項２に記載するシリンダー錠において、
第１ユニットと第２ユニットに分割されていること、
前記第１ユニットが、前記外筒と、前記内筒と、を有すること、
前記第２ユニットが、前記データ読み取り手段と、前記解錠許可手段と、前記制御手段を有すること、
を特徴とするシリンダー錠。
【請求項４】
請求項１乃至３のいずれか１つに記載するシリンダー錠において、
前記鍵穴の入り口を開閉するシャッターを有すること
を特徴とするシリンダー錠。
【発明の詳細な説明】
【技術分野】
【０００１】
本発明は、電子キーに記憶されているＩＤデータに基づいて認証を行い、認証に成功した場合に、解錠を行うシリンダー錠に関する。
【背景技術】
【０００２】
電子キーを用いたシリンダー錠は、セキュリティが高い等の理由で、玄関のドア等に取り付けられている。シリンダー錠は、電子キーが鍵穴に挿入されると、データ読み取り手段が電子キーに接触してＩＤデータを読み取る。シリンダー錠の制御手段は、ドアの使用権限を示す権限データを記憶しており、データ読み取り手段が読み取ったＩＤデータが権限データに一致する場合に、解錠を行う（例えば特許文献１参照）。
【先行技術文献】
【特許文献】
【０００３】
【特許文献１】特開２０１３−２３８０５１号公報
【発明の概要】
【発明が解決しようとする課題】
【０００４】
しかしながら、従来のシリンダー錠は、データ読み取り手段が鍵穴内に配置されていた。そのため、データ読み取り手段は、スタンガン等により高電圧を印加されやすかった。制御手段は、データ読み取り手段に接続するため、データ読み取り手段に高電圧を印加されると、破壊されてしまっていた。制御手段が破壊されると、認証の有無にかかわらず、シリンダー錠を解錠できるようになるため、問題である。
【０００５】
そこで、本発明は、上記問題点を解決するためになされたものであり、データ読み取り手段に高電圧を印加されて制御手段が破壊されることを防止できるシリンダー錠を提供することを目的とする。
【課題を解決するための手段】
【０００６】
上記目的を達成するために、本発明は、以下の構成を有する。
（１）鍵穴に挿入された接触式の電子キーのＩＤデータを読み取るデータ読み取り手段と、前記データ読み取り手段に接続し、前記データ読み取り手段が読み取った前記ＩＤデータに基づいて認証を行い、認証が成功した場合に、解錠許可手段に解錠動作を許可させる制御手段と、を備えるシリンダー錠において、前記データ読み取り手段が、前記鍵穴の外部に配置されていること、前記鍵穴に前記電子キーが挿入されない場合に、前記電子キーと前記データ読み取り手段との接続を遮断する一方、前記鍵穴に前記電子キーが挿入される場合に、前記電子キーと前記データ読み取り手段を接続する接続制御手段を有すること、前記接続制御手段は、前記鍵穴に前記電子キーが挿入されていない場合に、前記鍵穴に高電圧が印可されたときに、前記データ読み取り手段に前記高電圧を作用させないこと、を特徴とする。
【０００７】
上記構成では、データ読み取り手段は、鍵穴の外部に配置され、鍵穴を介して直接接触できないようにされている。接触式の電子キーが鍵穴に挿入されると、接続制御手段が電子キーとデータ読み取り手段を接触させる。この場合、制御手段は、データ読み取り手段を介して電子キーのＩＤデータを入力して認証を行い、認証に成功した場合に、解錠許可手段に解錠を許可させる。これに対して、電子キーが鍵穴に挿入されていない場合には、接続制御手段がデータ読み取り手段と電子キーとの接続を遮断する。そのため、電子キーを鍵穴に挿入しない状態でスタンガン等により内筒や外筒に高電圧が印加されても、その高電圧はデータ読み取り手段に印加されない。これにより、制御手段は、データ読み取り手段を介して高電圧を印加されず、破壊されにくくなる。
【０００８】
（２）（１）に記載の構成において、好ましくは、前記鍵穴の入り口を開閉するシャッターを有する。
【０００９】
上記構成では、鍵穴の入り口をシャッターで閉鎖するので、スタンガン等を鍵穴に挿入して、高電圧を印加することが困難である。よって、上記構成によれば、データ読み取り手段に高電圧が印加され、制御手段が破壊されることを予防できる。
【００１０】
（３）鍵穴に挿入された接触式の電子キーのＩＤデータを読み取るデータ読み取り手段と、前記データ読み取り手段に接続し、前記データ読み取り手段が読み取った前記ＩＤデータに基づいて認証を行い、認証が成功した場合に、解錠許可手段に解錠動作を許可させる制御手段と、を備えるシリンダー錠において、前記データ読み取り手段が、前記鍵穴の外部に配置されていること、前記鍵穴に前記電子キーが挿入されない場合に、前記電子キーと前記データ読み取り手段との接続を遮断する一方、前記鍵穴に前記電子キーが挿入される場合に、前記電子キーと前記データ読み取り手段を接続する接続制御手段を有すること、好ましくは、外筒と、前記鍵穴を備え、前記外筒にスライド可能に保持される内筒と、を有すること、前記接続制御手段は、前記内筒に対して一体的に連結されるシャフトと、前記シャフトに保持され、前記鍵穴に挿入された前記電子キーに接触する接触手段と、前記鍵穴が開口する端面側に向かって前記内筒を付勢する付勢手段と、を有すること、前記データ読み取り手段が、前記付勢手段に抗して前記内筒をスライドさせた場合に限り、前記接触手段に通信可能に接触するように、前記シャフトのスライド経路上に配置されていること、を特徴とする。
【００１１】
上記構成では、電子キーを鍵穴に挿入すると、電子キーが接触手段に接触する。電子キーを付勢手段に抗して押圧しない場合には、接触手段が、シャフトのスライド経路上に配置されたデータ読み取り手段に接触せず、電子キーとデータ読み取り手段との接続が遮断されている。その後、電子キーを付勢手段に抗して押圧し、内筒を外筒内でスライドさせると、シャフトが内筒と一体的にスライドする。接触手段は、シャフトに保持されているため、シャフトと一体的にスライドしてデータ読み取り手段に通信可能に接触する。これにより、電子キーとデータ読み取り手段が接続する。よって、上記構成によれば、使用者の力で電子キーとデータ読み取り手段を接続するので、消費電力を抑えつつ、高電圧がデータ読み取り手段に印加されることを簡単且つ安価に防止できる。
【００１２】
（４）（３）に記載の構成において、好ましくは、第１ユニットと第２ユニットに分割されていること、前記第１ユニットが、前記外筒と、前記内筒と、前記接続制御手段を有すること、前記第２ユニットが、前記データ読み取り手段と、前記解錠許可手段と、前記制御手段を有すること、を特徴とする。
【００１３】
上記構成では、シリンダー錠が第１ユニットと第２ユニットに分割されており、第１ユニットは、内筒と、外筒と、接続制御手段を有する一方、第２ユニットは、データ読み取り手段と、解錠許可手段と、制御手段を有するので、解錠動作に直接関連するものが第２ユニットにまとめられている。そのため、例えば、第２ユニットをドアの内側に配置し、第２ユニットをドアの外側に配置することにより、高電圧が制御手段に不正に印加されない。
【発明の効果】
【００１４】
上記構成のシリンダー錠によれば、データ読み取り手段に高電圧を印加されて制御手段が破壊されることを防止できる。
【図面の簡単な説明】
【００１５】
【図１】本発明に係るシリンダー錠の断面図であって、解錠禁止状態を示す。
【図２】本発明に係るシリンダー錠の断面図であって、解錠許可状態を示す。
【図３】図１のＡＡ断面図である。
【図４】図１のＢＢ断面図である。
【図５】鍵穴が設けられた端面を示す図である。
【図６】回転力伝達構造を示す外観斜視図である。
【図７】電子キーの側面図である。
【図８】ドアの外観斜視図である。
【図９】シリンダー錠の取付構造を説明する図である。
【発明を実施するための形態】
【００１６】
次に、本発明に係るシリンダー錠の一実施の形態について図面を参照して説明する。
【００１７】
図１は、本発明に係るシリンダー錠５の断面図であって、解錠禁止状態を示す。図２は、本発明に係るシリンダー錠５の断面図であって、解錠許可状態を示す。図３は、図１のＡＡ断面図である。図４は、図１のＢＢ断面図である。図５は、鍵穴２２ａが設けられた端面を示す図である。図６は、回転力伝達構造を示す外観斜視図である。図７は、電子キー４の側面図である。図８は、ドア１の外観斜視図である。図９は、シリンダー錠５の取付構造を説明する図である。
【００１８】
図８に示すように、例えば、玄関のドア１には、図７に示す電子キー４を用いて、施錠と解錠を行う錠前２が取り付けられている。錠前２は、ドア枠のストライク（図示せず）へ向けてデッドボルト３を突出又は退避させることで、施錠と解錠を行う。デッドボルト３は、錠前２に内設された図示しない内部カムに連結している。本実施形態のシリンダー錠５は、錠前２に取り付けられている。シリンダー錠５は、鍵穴２２ａに挿入された電子キー４を回転させることで、錠前２の図示しない内部カムに回転力を付与してデッドボルト３を突出又は退避させる。
【００１９】
電子キー４の構成を説明する。図７に示すように、電子キー４は、導電材料を枠形状に形成した第１端子部材４ａ（第１端子の一例）と、先端部が露出するように絶縁ホルダ４ｄを装着され、第１端子部材４ａに絶縁された状態で取り付けられる第２端子部材４ｂ（第２端子の一例）を備える。第１及び第２端子部材４ａ，４ｂの後端部は、絶縁材料からなる把持部材４ｅで覆われている。ＩＣタグ４ｃは、把持部材４ｅに内蔵され、第１及び第２端子部材４ａ，４ｂに接続している。ＩＣタグ４ｃは、固有のＩＤデータを記憶している。ＩＣタグ４ｃは、ＬＥＤ４ｆに接続して、点灯状態を制御する。ＬＥＤ４ｆは、把持部材４ｅの外から視認できるようになっている。
【００２０】
次に、シリンダー錠５の構成を説明する。図１及び図２に示すように、シリンダー錠５は、鍵穴２２ａを備える内筒２２が外筒２１に回転可能に保持されている。シリンダー錠５は、鍵穴２２ａの外部に配置されるデータ送受信手段６９（データ読み取り手段の一例）と、鍵穴２２ａに電子キー４が挿入されない場合に、電子キー４とデータ送受信手段６９との接続を遮断する一方、鍵穴２２ａに電子キー４が挿入される場合に、電子キー４とデータ送受信手段６９を接続する接続制御手段５０を有する。
【００２１】
そして、シリンダー錠５は、解錠を許可する解錠許可手段５１と、データ送受信手段６９に接続し、データ送受信手段６９が電子キー４から読み取ったＩＤデータに基づいて認証を行い、認証に成功した場合に、解錠許可手段５１に解錠を許可させる制御手段７０を備える。
【００２２】
以下、シリンダー錠５の構成について、詳細に説明する。シリンダー錠５は、第１ユニット１１と、第２ユニット１２に分割され、既設のシリンダー錠と交換しやすくされている。
【００２３】
第１ユニット１１は、外筒２１に内筒２２が回転可能及び摺動可能に保持されている。外筒２１は、前面側の開口部外周面に、化粧リング２３が外筒２１に螺設されている。外筒２１は、前面側の開口部より少し奥側に段差部２１ａが設けられ、その段差部２１ａに内筒２２のショルダー部２２ｃが当接することにより、内筒２２の前方（屋外側、図中左方向）への移動が制限される（以下、この場合に内筒２２が配置される位置を「キー挿入位置」ともいう。）。また、外筒２１は、背面側の開口部に後端プレート２４が固定され、その後端プレート２４に内筒２２が当接することにより、内筒２２の後方（屋内側、図中右方向）への移動が制限される（以下、この場合に内筒２２が配置される位置を「押し込み位置」といもいう。）。
【００２４】
第１ユニット１１は、スライド軸４８が内筒２２に対して一体的に連結されている。スライド軸４８の端部には、保持軸４９が一体的に取り付けられている。よって、スライド軸４８及び保持軸４９は、内筒２２と一体的に回転運動及びスライド運動を行う。尚、本実施形態では、スライド軸４８と保持軸４９により、「シャフト」が構成される。
【００２５】
図１〜図３に示すように、内筒２２は、電子キー４が挿入される鍵穴２２ａを備える。第１ユニット１１は、鍵穴２２ａの内部に、電子キー４の第１端子部材４ａに接触する第１鍵穴内部コンタクト部材３８と、電子キー４の第２端子部材４ｂに当接する第２鍵穴内部コンタクト部材３９が配置されている。一方、第１ユニット１１は、鍵穴２２ａの外部に、第１鍵穴外部コンタクト部材４６と、第２鍵穴外部コンタクト部材４７が配置されている。第１及び第２鍵穴外部コンタクト部材４６，４７は、保持軸４９の外周面に装着されている。
【００２６】
図３に示すように、第１鍵穴内部コンタクト部材３８は、絶縁材料で被覆された第１配線４４を介して第１鍵穴外部コンタクト部材４６に通信可能に接続されている。また、第２鍵穴内部コンタクト部材３９は、絶縁材料で被覆された第２配線４５を介して第２鍵穴外部コンタクト部材４７に通信可能に接続されている。第１及び第２配線４４，４５は、スライド軸４８及び保持軸４９のスライドを阻害しないように、スライド軸４８の中空部４８ａに配置されている。尚、本実施形態では、第１及び第２鍵穴内部コンタクト部材３８，３９、配線４４，４５、第１及び第２鍵穴外部コンタクト部材４６，４７により、「シャフト」に保持され、鍵穴２２ａに挿入された電子キー４に接触する「接触手段」が構成されている。
【００２７】
より詳しく内筒２２について説明すると、図６に示すように、内筒２２は、第１ホルダ３１と、第２ホルダ３２と、第３ホルダ３３と、バックプレート３４を連結ボルト３５で連結することにより、一体化したものである。
【００２８】
図１及び図２に示すように、鍵穴２２ａは、第１〜第３ホルダ３１〜３３に渡って形成されている。第２及び第３ホルダ３２，３３には、電子キー４の第２端子部材４ｂをガイドするガイド溝３２ａ，３３ａが形成されている。第２鍵穴内部コンタクト部材３９は、第３ホルダ３３の一方のガイド溝３３ａ内に配置され、第２端子部材４ｂに接触するようになっている。また、第１鍵穴内部コンタクト部材３８は、第２鍵穴内部コンタクト部材３９と９０度の位相差をもつように、第３ホルダ３３の内部に配置され、電子キー４の第１端子部材４ａに接触するようになっている。
【００２９】
よって、ガイド溝３２ａ，３３ａに沿って電子キー４を鍵穴２２ａに挿入すると、必ず、第１及び第２端子部材４ａ，４ｂと第１及び第２鍵穴内部コンタクト部材３８，３９を接触させることができる。また、第１及び第２鍵穴内部コンタクト部材３８，３９は、鍵穴２２ａの奥の位置（入り口２２ｂと反対側の位置）に配置されている。そのため、電圧を印加する装置を第１及び第２鍵穴内部コンタクト部材３８，３９に届くように鍵穴２２ａに入れにくく、第１及び第２鍵穴内部コンタクト部材３８，３９に外部から不正に電圧を印加されにくい。
【００３０】
図３に示すように、第１ホルダ３１は、一対のシャッター部材３６，３６（シャッターの一例）をシャッター軸３７，３７を介して回動可能に保持している。シャッター部材３６，３６は、シャッターばね４０，４０により付勢され、図３及び図５に示すように互いに当接している。そのため、鍵穴２２ａは、電子キー４以外のものをシャッター部材３６，３６を超えて挿入されにくい。シャッター部材３６，３６は、絶縁材料で形成され、電圧を印加されても、電流がシャッター部材３６，３６から第１ホルダ３１へ流れない。
【００３１】
図１〜図３に示すように、バックプレート３４には、スライド軸４８が連結され、内筒２２とスライド軸４８が一体的に動作するようにしている。
【００３２】
このような第１ユニット１１は、外筒２１と化粧リング２３と後端プレート２４と第１ホルダ３１とバックプレート３４とスライド軸４８が、機械的性質及び耐腐食性に優れた金属で形成されている。第２及び第３ホルダ３２，３３と保持軸４９は、絶縁材料で形成されている。そのため、外部に露出している化粧リング２３や外筒２１、第１ホルダ３１に電圧が印加されても、第２及び第３ホルダ３２，３３で絶縁されるので、第１及び第２鍵穴内部コンタクト部材３８，３９に電圧が印加されない。またこの場合、電流が化粧リング２３や外筒２１、第１ホルダ３１からスライド軸４８へ流れても、保持軸４９で絶縁され、第１及び第２鍵穴外部コンタクト部材４６，４７に流れない。よって、高電圧がデータ送受信手段６９に印加されにくい。
【００３３】
図１及び図２に示すように、第２ユニット１２は、ハウジング６２に、錠前２の内部カム（図示せず）に連結するギヤカム６３が回転可能に保持されている。カム部材６４は、円筒部６４ａがギヤカム６３に装填されると共に、ハウジング６２に内設されたシャフトソケット６５の円筒部６５ａに保持され、軸線を中心に回転したり、軸線に沿って往復直線運動したりできるようになっている。
【００３４】
第２ユニット１２は、スライド軸４８及び保持軸４９が、ギヤカム６３からカム部材６４を介してシャフトソケット６５に挿通され、第１及び第２鍵穴外部コンタクト部材４６，４７がシャフトソケット６５内に配置されるようになっている。尚、カム部材６４とシャフトソケット６５は、絶縁材料で形成され、第１及び第２鍵穴外部コンタクト部材４６，４７との間で電流を流さないようにされている。
【００３５】
第２ユニット１２は、スライド軸４８及び保持軸４９を挟んで内筒２２と反対側に、リセットレバー６６が配置されている。リセットレバー６６は、ハウジング６２に固定された回転軸６７に回動可能に保持されている。リセットばね６８（付勢手段の一例）は、リセットレバー６６を挟んで保持軸４９と反対側に配置され、リセットレバー６６、保持軸４９、スライド軸４８を介して内筒２２を図中左方向へ常時付勢することにより、内筒２２をキー挿入位置（図１参照）に自動的に移動させるようにしている。
【００３６】
データ送受信手段６９は、外筒２１と内筒２２を介して電圧を印加されないように、外筒２１と内筒２２から離れてシャフトソケット６５に固設されている。データ送受信手段６９は、リセットばね６８に抗して内筒２２を押し込み位置までスライドさせた場合に限り、第１及び第２鍵穴外部コンタクト部材４６，４７に通信可能に接触するように、保持軸４９のスライド経路上に配置されている。そのため、データ送受信手段６９は、電子キー４を鍵穴２２ａに挿入しない場合には、第２鍵穴外部端子部材４６，４７に通信可能に接触せず、電子キー４との接続を遮断される。電子キー４を鍵穴２２ａに挿入して押圧した場合には、第２鍵穴外部端子部材４６，４７に通信可能に接触し、電子キー４に接続される。よって、本実施形態では、第１及び第２鍵穴内部コンタクト部材３８，３９、配線４４，４５、第１及び第２鍵穴外部コンタクト部材４６，４７、スライド軸４８と保持軸４９とリセットばね６８により、接続制御手段５０が構成される。
【００３７】
図１及び図２に示すように、解錠許可手段５１は、ソレノイド７１、スライドレバー７４、スライドプレート７５、スライドばね７６、リンク部材７７、カム部材６４、ギヤカム６３により構成されている。
【００３８】
図６に示すように、カム部材６４は、スライド軸４８と一体的に回転するように、スライド軸４８に対して連結されている。また、カム部材６４は、スライド軸４８に対してスライド可能に取り付けられている。カム部材６４は、ギヤカム６３に形成された十字形のカム溝６３ａに係合するように、十字形のカム６４ｂが設けられている。そのため、カム６４ｂとカム溝６３ａが係合する場合に、内筒２２の回転力がスライド軸４８、カム部材６４を介してギヤカム６３に伝達される。
【００３９】
図６に示すように、カム部材６４の外周面には、カム溝６４ｃが環状に形成され、リンク部材７７のカムピン７７ａが係合している。リンク部材７７は、ハウジング６２に揺動可能に保持されている。そのため、カム部材６４は、リンク部材７７が揺動することによって、スライド軸４８に沿ってスライドし、カム６４ｂをカム溝６３ａに係合させたり、カム６４ｂとカム溝６３ａの係合状態を解除させたりする。
【００４０】
図１及び図２、図６に示すように、リンク部材７７は、スライドプレート７５が水平方向に往復直線運動することで、内筒２２側又は内筒２２と反対側へ向かって揺動する。スライドプレート７５は、スライドばね７６によって内筒２２と反対側へ向かって常時付勢されている。スライドレバー７４は、スライドプレート７５を挟んでスライドばね７６と反対側の位置において、回転軸６７に回動可能に保持されている。スライドレバー７４は、支軸７３を介してソレノイド７１のプランジャ７２に連結され、プランジャ７２の上下動に応じて支軸７３を中心に回動する。
【００４１】
図１に示すように、スライドレバー７４は、ソレノイド７１が通電されず、プランジャ７２を突出させている場合には、スライドプレート７５から離間する姿勢（以下「非押圧姿勢」ともいう。）になる。一方、図２に示すように、スライドレバー７４は、ソレノイド７１が通電され、プランジャ７２を上方へ吸引すると、スライドプレート７５に当接してスライドばね７６に抗してスライドプレート７５を内筒２２側へ向かって押圧する姿勢（以下「押圧姿勢」ともいう。）になる。
【００４２】
図１に示すように、スライドプレート７５は、リンク部材７７が貫き通される開口部７５ａが開設されている。スライドレバー７４が非押圧姿勢で保持され、スライドプレート７５がスライドばね７６により内筒２２と反対側へ付勢されている場合には、リンク部材７７は、開口部７５ａの縁部により内筒２２と反対側へ押圧され、揺動する。この場合、リンク部材７７は、カム部材６４をギヤカム６３から離れる方向へ引っ張り、カム６４ｂをカム溝６３ａに係合させない。この場合、内筒２２を回転させても、カム部材６４が空転し、ギヤカム６３に回転力が付与されない。
【００４３】
これに対して、図２に示すように、スライドレバー７４が押圧姿勢で保持され、スライドプレート７５がスライドばね７６に抗して内筒２２側へスライドした場合には、リンク部材７７は、スライドプレート７５の加圧部７５ｃに押圧されて内筒２２側へ揺動する。これにより、リンク部材７７は、カム部材６４をギヤカム６３側へ引っ張り、カム６４ｂをカム溝６３ａに係合させる。この場合、内筒２２を回転させると、その回転力がスライド軸４８、カム部材６４、ギヤカム６３に伝達され、施錠又は解錠を行うことが可能になる。
【００４４】
ところで、シリンダー錠５は、回転軸６７に回動可能に保持されるホールドレバー７８を備える。ホールドレバー７８は、スライドプレート７５の保持突部７５ｂの上方に配置されている。ホールドばね７９は、ホールドレバー７８をスライドプレート７５側へ向かって付勢している。ホールドレバー７８には、スライドプレート７５の保持突部７５ｂに係合可能な凹部７８ａが設けられている。
【００４５】
ホールドレバー７８は、リセットレバー６６がリセットばね６８に抗して押圧されない間は、リセットレバー６６に回動を制限される。ホールドレバー７８は、リセットレバー６６がリセットばね６８に抗して押圧されると、リセットレバー６６による回動制限を解除される。リセットレバー６６による回動制限が解除されても、ホールドレバー７８は、保持突部７５ｂが凹部７８ａの下方にくるまでは、保持突部７５ｂに押し上げられて回動できない。一方、スライドプレート７５が、保持突部７５ｂを凹部７８ａの下方に配置するように移動すると、ホールドレバー７８は、回動して、凹部７８ａを保持突部７５ｂに係合させる。ホールドレバー７８は、ホールドばね７９に付勢されるため、ソレノイド７１への通電が停止されても、スライドプレート７５を保持し続けることが可能である。
【００４６】
第２ユニット１２は、内部構造が外部から見えないように化粧カバー６１で覆われている。サムターン８０は、回転軸８０ａが化粧カバー６１に挿通されている。図４に示すように、回転軸８０ａの先端部は、多角形形状をなし、ハウジング６２に回転可能に保持されたギヤ８１に係合している。ギヤ８１は、ギヤカム６３に噛合している。そのため、サムターン８０を回転させると、ギヤ８１を介してギヤカム６３が回転し、施錠又は解錠が行われる。
【００４７】
続いて、シリンダー錠５の取付構造について説明する。図９に示すように、シリンダー錠５は、第１及び第２ユニット１１，１２がドア１に対して外側と内側から取り付けられる。第１及び第２ユニット１１，１２は、錠前２のケース２ａに形成されたシリンダー錠取付孔２ｂに嵌合された状態で、ケース２ａに形成された挿通穴２ｄから第１及び第２ユニット１１，１２に形成された保持孔１１ａ，１２ａに保持ピン１３を挿通することで、ケース２ａに位置決めされた状態で保持される。
【００４８】
保持ピン１３は、ケース２ａに固定されていないので、ケース２ａから脱落する恐れがある。そこで、シリンダー錠５は、保持ピン１３を覆うようにカバープレート１４をケース２ａに当接させ、固定ねじ１５をカバープレート１４の貫通孔１４ａに貫き通してケース２ａのねじ孔２ｃに螺合させる。これにより、カバープレート１４が、ケース２ａに固定され、保持ピン１３の脱落が防止される。尚、カバープレート１４には、デッドボルト３を突出させるための窓１４ｂが設けられている。化粧リング２３は、案件毎に締め付け量が異なるので、第１及び第２ユニット１１，１２をドア１に取り付けた後に外筒２１に螺合することが望ましい。
【００４９】
本実施形態では、制御手段７０は、乾電池を電源として駆動する。そのため、シリンダー錠５は、配線しなくても、ドア１に設置できる。尚、制御手段７０は、周知のマイクロコンピュータであって、中央演算処理装置（ＣＰＵ）やメモリ等を備える。制御手段７０は、データ送受信手段６９とソレノイド７１に接続され、電気信号を送受信する。
【００５０】
続いて、シリンダー錠５の動作について説明する。制御手段７０は、メモリに記憶されている制御プログラムを実行することにより、シリンダー錠５による施錠又は解錠動作を制御する。
【００５１】
使用者は、電子キー４を鍵穴２２ａに挿入し、第１及び第２端子部材４ａ，４ｂを第１及び第２鍵穴内部コンタクト部材３８，３９に接触させる。単に、電子キー４を介して内筒２２をリセットばね６８に抗して外筒２１に押し込まない場合には、データ送受信手段６９と第１及び第２鍵穴外部コンタクト部材４６，４７が通信可能に接触せず、電子キー４とデータ送受信手段６９との接続が遮断される（図１参照）。この場合、制御手段７０は、データ送受信手段６９を介して電子キー４のＩＤデータを入力できないため、電子キー４を検出しない。よって、制御手段７０は、待機状態を維持する。
【００５２】
使用者が、鍵穴２２ａに差し込んだ電子キー４を、リセットばね６８に抗して鍵穴２２ａに押し込むと、内筒２２がスライド軸４８及び保持軸４９と一体的にスライドし、データ送受信手段６９と第１及び第２鍵穴外部コンタクト部材４６，４７が通信可能に接触する。これにより、データ送受信手段６９は、第１及び第２鍵穴外部コンタクト部材４６，４７、第１及び第２配線４４，４５、第１及び第２鍵穴内部コンタクト部材３８，３９を介して電子キー４の第１及び第２端子部材４ａ，４ｂに通信可能に接続される。これにより、データ送受信手段６９が、電子キー４のＩＣタグ４ｃからＩＤデータを読み取る。制御手段７０は、データ送受信手段６９からＩＤデータを入力することで、電子キー４を検出する。
【００５３】
制御手段７０は、入力したＩＤデータを、メモリに記憶されている権限データに照合する。制御手段７０は、ＩＤデータが権限データに一致しない場合には、当該電子キー４が未登録のものであると判断する。この場合、制御手段７０は、ソレノイド７１に通電しない。そのため、ソレノイド７１は、プランジャ７２が下降しており、スライドレバー７４がスライドプレート７５から離間している。スライドプレート７５は、スライドばね７６により内筒２２と反対側へ押圧されて移動している。リンク部材７７は、スライドプレート７５に押圧されて内筒２２と反対側へ揺動し、カム部材６４のカム６４ｂをギヤカム６３のカム溝６３ａに係合させない。よって、使用者は、無登録の電子キー４を鍵穴２２ａに押し込んで回転させても、内筒２２とスライド軸４８及び保持軸４９とカム部材６４が空転し、ギヤカム６３を回転させないので、施錠又は解錠を行うことができない。
【００５４】
尚、制御手段７０は、電子キー４が未登録の場合、データ送受信手段６９、第１及び第２鍵穴外部コンタクト部材４６，４７、第１及び第２配線４４，４５、第１及び第２鍵穴内部コンタクト部材３８，３９、第１及び第２端子部材４ａ，４ｂを介してＩＣタグ４ｃへ制御信号を送信し、電子キー４のＬＥＤ４ｆを点滅させる。使用者は、ＬＥＤ４ｆの点滅状態を見て、当該電子キー４が未登録であるために施錠又は解錠出来ないことに気づく。
【００５５】
これに対して、制御手段７０は、ＩＤデータが権限データに一致する場合には、当該電子キー４が登録されているものであると判断する。そこで、制御手段７０は、ソレノイド７１に通電する。
【００５６】
ソレノイド７１は、通電されると、プランジャ７２を引き上げる。すると、スライドレバー７４が、スライドばね７６に抗してスライドプレート７５を内筒２２側へ押圧するように回動する。リンク部材７７は、スライドプレート７５に押圧されて内筒２２側へ揺動し、カム部材６４をギヤカム６３側へ移動させる。これにより、カム６４ｂとカム溝６３ａが係合する（図２参照）。
【００５７】
ここで、ホールドレバー７８は、リセットレバー６６がリセットばね６８に抗して押圧されるため、リセットレバー６６による回動制限を解除される。カム６４ｂとカム溝６３ａが係合するまで、スライドプレート７５が内筒２２側へ移動するまでの間、ホールドレバー７８は、スライドプレート７５の保持突部７５ｂに当接して回動を制限される。カム６４ｂとカム溝６３ａが係合するようにスライドプレート７５が内筒２２側へ十分に移動すると、保持突部７５ｂがホールドレバー７８の凹部７８ａ下方に到達する。すると、ホールドレバー７８は、ホールドばね７９に付勢されて回動し、凹部７８ａを保持突部７５ｂに係合させる（図２参照）。その後、ソレノイド７１の通電を停止しても、ホールドレバー７８は、ホールドばね７９に付勢されて、スライドプレート７５の保持突部７５ｂを保持し続ける。よって、シリンダー錠５は、ソレノイド７１に１回通電すれば、解錠許可状態を維持できるので、ソレノイド７１への通電時間を短縮できる。シリンダー錠５は、乾電池を電源とするので、ソレノイド７１への通電時間を短縮できれば、乾電池の交換頻度を減らすことが可能である。
【００５８】
制御手段７０は、ソレノイド７１への通電の他、電子キー４のＩＣタグ４ｃに制御信号を送信し、ＬＥＤ４ｆを連続点灯させる。使用者は、ＬＥＤ４ｆが連続点灯していることを確認したら、電子キー４を回転させる。
【００５９】
電子キー４を回転させると、内筒２２がスライド軸４８及び保持軸４９と一体的に回転する。スライド軸４８には、カム部材６４が一体的に回転するように連結されているので、カム部材６４も回転する。この時点において、カム部材６４は、カム６４ｂをカム溝６３ａに係合させている。よって、ギヤカム６３は、カム部材６４から回転力を付与され、デッドボルト３を錠前２から突出又は退避させる。
【００６０】
その後、電子キー４が鍵穴２２ａから抜かれると、内筒２２がスライド軸４８及び保持軸４９とリセットレバー６６を介してリセットばね６８に付勢され、キー挿入位置へ向かってスライドする。すると、データ送受信手段６９と第１及び第２鍵穴外部コンタクト部材４６，４７が通信可能に接触しなくなるので、制御手段７０は、ＩＤデータを入力できなくなる。これにより、制御手段７０は、電子キー４を検出しなくなるので、ソレノイド７１への通電を行っていた場合には、通電を停止して待機状態になる。
【００６１】
電子キー４が鍵穴２２ａから抜かれ、リセットレバー６６がリセットばね６８に付勢されて回動すると、ホールドレバー７８がホールドばね７９に抗して回動し、凹部７８ａと保持突部７５ｂとの係合を解除する。これにより、スライドプレート７５が、スライドできる状態になる。
【００６２】
その状態で、ソレノイド７１への通電が停止されると、プランジャ７２が下降し、スライドレバー７４がスライドプレート７５から離間する。スライドプレート７５は、スライドばね７６に付勢されて内筒２２と反対側へ移動し、リンク部材７７を内筒２２と反対側へ揺動させる。すると、リンク部材７７は、カム部材６４を内筒２２と反対側へ移動させ、カム６４ｂとカム溝６３ａの係合を解除する。これにより、ギヤカム６３が、カム部材６４から回転力を付与されなくなり、施錠又は解錠できない状態になる。
【００６３】
以上説明したように、本実施形態のシリンダー錠５では、データ送受信手段６９は、鍵穴２２ａの外部に配置され、鍵穴２２ａを介して直接接触できないようにされている。接触式の電子キー４が鍵穴２２ａに挿入されると、接続制御手段５０が電子キー４とデータ送受信手段６９を接触させる。この場合、制御手段７０は、データ送受信手段６９を介して電子キー４のＩＤデータを入力して認証を行い、認証に成功した場合に、解錠許可手段に解錠を許可させる。これに対して、電子キー４が鍵穴２２ａに挿入されていない場合には、接続制御手段５０がデータ送受信手段６９と電子キー４との接続を遮断する。そのため、電子キー４を鍵穴２２ａに挿入しない状態でスタンガン等により内筒２２や外筒２１に高電圧が印加されても、その高電圧はデータ送受信手段６９に印加されない。これにより、制御手段７０は、データ送受信手段６９を介して高電圧を印加されず、破壊されにくくなる。
【００６４】
本実施形態のシリンダー錠５では、鍵穴２２ａの入り口をシャッター部材３６，３６（シャッター）で閉鎖するので、スタンガン等を鍵穴２２ａに挿入して、高電圧を印加することが困難である。よって、本実施形態のシリンダー錠５によれば、データ送受信手段６９に高電圧が印加され、制御手段７０が破壊されることを予防できる。
【００６５】
本実施形態のシリンダー錠５では、電子キー４を鍵穴２２ａに挿入すると、電子キー４が接触手段（第１及び第２鍵穴内部コンタクト部材３８，３９）に接触する。電子キー４をリセットばね６８に抗して押圧しない場合には、接触手段（第１及び第２鍵穴外部コンタクト部材４６，４７）が、シャフト（保持軸４９）のスライド経路上に配置されたデータ送受信手段６９に接触せず、電子キー４とデータ送受信手段６９との接続が遮断されている。その後、電子キー４をリセットばね６８に抗して押圧し、内筒２２を外筒２１内でスライドさせると、シャフト（スライド軸４８，保持軸４９）が内筒２２と一体的にスライドする。接触手段（第１及び第２鍵穴外部コンタクト部材４６，４７）は、シャフト（保持軸４９）に保持されているため、シャフト（保持軸４９）と一体的にスライドしてデータ送受信手段６９に通信可能に接触する。これにより、電子キー４とデータ送受信手段６９が接続する。よって、本実施形態のシリンダー錠５によれば、使用者の力で電子キー４とデータ送受信手段６９を接続するので、消費電力を抑えつつ、高電圧がデータ送受信手段６９に印加されることを簡単且つ安価に防止できる。
【００６６】
本実施形態のシリンダー錠５は、第１ユニット１１と第２ユニット１２に分割されており、第１ユニット１１は、内筒２２と、外筒２１と、接続制御手段５０を有する一方、第２ユニット１２は、データ送受信手段６９と、解錠許可手段５１と、制御手段７０を有するので、解錠動作に直接関連するものが第２ユニット１２にまとめられている。そのため、例えば、第２ユニット１２をドア１の内側に配置し、第２ユニット１２をドアの外側に配置することにより、高電圧が制御手段７０に不正に印加されない。
【００６７】
従って、本実施形態のシリンダー錠５によれば、データ送受信手段６９に高電圧を印加されて制御手段７０が破壊されることを防止できる。
【００６８】
尚、本発明は、上記実施の形態に限定されることなく、発明の趣旨を逸脱することのない範囲で色々な応用が可能である。
例えば、上記実施形態では、シリンダー錠５を玄関のドア１に取り付けたが、ロッカーの扉等に設けても良い。
例えば、上記実施形態では、第２ユニット１２に内設したリセットばね６８により内筒２２をリセットレバー６６、保持軸４９、スライド軸４８を介して付勢したが、第１ユニット１１内に内筒２２を直接付勢するように付勢手段を設けても良い。
上記実施形態では、保持軸４９に第１及び第２鍵穴外部コンタクト部材４６，４７を装着し、保持軸４９を軸線方向に移動させることで、電子キー４とデータ送受信手段６９の接続と遮断を切り換えるようにしたが、切換構造は、これに限定されるものでないことはいうまでもない。
上記実施形態では、第１及び第２鍵穴外部コンタクト部材４６，４７をデータ送受信手段６９に対して接触させたり、接触させないようにすることで、電子キー４とデータ送受信手段６９を接続又は遮断したが、第１及び第２鍵穴内部コンタクト部材３８，３９を内筒２２に突出及び退避可能に設けたり、配線４４，４５に切換スイッチを設けるなどして、電子キー４とデータ送受信手段６９の接続と遮断を制御しても良い。
【符号の説明】
【００６９】
４  電子キー
５  シリンダー錠
１１  第１ユニット
１２  第２ユニット
２１  外筒
２２  内筒
２２ａ  鍵穴
３６  シャッター部材（シャッターの一例）
３８、３９  第１及び第２鍵穴内部コンタクト部材（接触手段の一例）
４４，４５  配線（接触手段の一例）
４６，４７  第１及び第２鍵穴外部コンタクト部材（接触手段の一例）
４８  スライド軸（シャフトの一例）
４９  保持軸（シャフトの一例）
５０  接続制御手段
５１  解錠許可手段
６８  リセットばね（付勢手段の一例）
６９  データ送受信手段（データ読み取り手段の一例）
７０  制御手段
【図１】
0006383600.tif 000002
【図２】
0006383600.tif 000003
【図３】
0006383600.tif 000004
【図４】
0006383600.tif 000005
【図５】
0006383600.tif 000006
【図６】
0006383600.tif 000007
【図７】
0006383600.tif 000008
【図８】
0006383600.tif 000009
【図９】
0006383600.tif 000010